(57)【要約】複数の第一検出部（１０１）、第二検出部（１０２）、第三検出部（１０３）、第Ｍ検出部（１０Ｍ）からの各プロセス信号を入力する１個の入力回路部（２１）と、各検出部（１０１〜１０Ｍ）と、入力回路部（２１）との開閉切替を行う信号切替部（１０）と、入力回路部（２１）に接続されプロセス信号を処理する信号処理部（２３）と、複数の検出部（１０１〜１０Ｍ）のいずれか１つが入力回路部（２１）に接続されるように設定された開閉時間に応じた切替命令信号を信号切替部（１０）に出力し、かつ、複数の各検出部（１０１〜１０Ｍ）から入力回路部（２１）に入力されるプロセス信号が安定的に測定可能となる、複数の各検出部（１０１〜１０Ｍ）毎に設定された安定測定時間に応じた測定命令信号を信号処理部（２３）に出力する切替命令部（２２）とを備える。
2016088181.tif 000002
【特許請求の範囲】
【請求項１】
検出部は、連続的に変化するプロセス信号を検出するものであって、
信号測定対象部は、前記検出部を複数個有するものであり、
前記信号測定対象部の前記プロセス信号を測定する信号測定装置において、
各前記検出部からの各前記プロセス信号を入力する１個の入力回路部と、
各前記検出部と前記入力回路部との開閉切替を行う信号切替部と、
前記入力回路部に接続され前記プロセス信号を処理する信号処理部と、
各前記検出部のいずれか１つが前記入力回路部に接続されるように設定された開閉時間に応じた切替命令信号を前記信号切替部に出力し、かつ、各前記検出部から前記入力回路部に入力される前記プロセス信号が安定的に測定可能となる前記検出部毎に設定された安定測定時間に応じた測定命令信号を前記信号処理部に出力する切替命令部とを備えた信号測定装置。
【請求項２】
前記信号切替部には、前記プロセス信号が起電力によるものである前記検出部に対して、第一入力端子および第一出力端子を形成し、
前記プロセス信号が起電力信号の前記検出部と前記入力回路部とは、前記第一入力端子および前記第一出力端子を介して接続され、
前記切替命令部は、前記第一入力端子および前記第一出力端子に前記切替命令信号を出力する請求項１に記載の信号測定装置。
【請求項３】
定電流回路部を備え、
前記信号切替部には、定電流を必要とする前記検出部に対して、第二入力端子、第二出力端子、第三入力端子および第三出力端子を備え、
定電流を必要とする前記検出部と前記入力回路部とは、前記第二入力端子および前記第二出力端子を介して接続され、
定電流を必要とする前記検出部と前記定電流回路部とは、前記第三入力端子および前記第三出力端子を介して接続され、
前記切替命令部は、前記第二入力端子、前記第二出力端子、前記第三入力端子および前記第三出力端子に前記切替命令信号を出力する請求項１または請求項２に記載の信号測定装置。
【請求項４】
前記信号切替部には、電源を必要とする前記検出部に対して、第四入力端子、第四出力端子、電源部および負荷抵抗部を備え、
電源を必要とする前記検出部と前記電源部と前記負荷抵抗部とは、直列に接続され、
前記負荷抵抗部と前記入力回路部とは、並列に接続されるとともに、前記第四入力端子および前記第四出力端子を介して接続され、
前記切替命令部は、前記第四入力端子および前記第四出力端子に前記切替命令信号を出力する請求項１から請求項３のいずれか１項に記載の信号測定装置。
【発明の詳細な説明】
【技術分野】
【０００１】
この発明は、原子力プラントなどプラントにおける複数の連続して変化するプロセス信号を、安定的に測定でき、かつ、装置が小型化できる信号測定装置に関するものである。
【背景技術】
【０００２】
従来の信号測定装置は、１個のプロセス信号に対して、１個の入力回路部を必要とした。このような信号測定装置の構成では、信号測定対象部としてのプラントのプロセス信号の数に比例して大型になる。【０００３】
この対策として、信号測定装置に、複数の信号の伝送回路を順次切り替えしてスキャニングするスキャニングスイッチを設ける。そして、信号測定装置は、複数の信号を１つの入力回路部にて対応している（例えば、特許文献１参照）。
【先行技術文献】
【特許文献】
【０００４】
【特許文献１】特開２００７−１５６８４７号公報
【発明の概要】
【発明が解決しようとする課題】
【０００５】
従来の信号測定装置は、スキャニングする信号は接点の状態がＯＮ信号またはＯＦＦ信号に限られている。よって、例えば、プラントなどにて検出される連続的に変化するプロセス信号（例えば、測温抵抗体、熱電対、伝送器などから検出される信号）に対しては、この従来の信号測定装置を利用することができないという問題点があった。【０００６】
この発明は上記のような課題を解決するためになされたものであり、複数の連続して変化するプロセス信号を、安定的に測定でき、かつ、装置が小型化できる信号測定装置を提供することを目的とする。
【課題を解決するための手段】
【０００７】
この発明の信号測定装置は、
検出部は、連続的に変化するプロセス信号を検出するものであって、
信号測定対象部は、前記検出部を複数個有するものであり、
前記信号測定対象部の前記プロセス信号を測定する信号測定装置において、
各前記検出部からの各前記プロセス信号を入力する１個の入力回路部と、
各前記検出部と前記入力回路部との開閉切替を行う信号切替部と、
前記入力回路部に接続され前記プロセス信号を処理する信号処理部と、
各前記検出部のいずれか１つが前記入力回路部に接続されるように設定された開閉時間に応じた切替命令信号を前記信号切替部に出力し、かつ、各前記検出部から前記入力回路部に入力される前記プロセス信号が安定的に測定可能となる前記検出部毎に設定された安定測定時間に応じて測定命令信号を前記信号処理部に出力する切替命令部とを備えたものである。
【発明の効果】
【０００８】
この発明の信号測定装置によれば、
複数の連続して変化するプロセス信号を、安定的に測定でき、かつ、装置が小型化できる。
【図面の簡単な説明】
【０００９】
【図１】この発明の実施の形態１の信号測定装置の構成を示す図である。
【図２】図１に示した信号測定装置の信号測定方法を説明するための図である。
【図３】この発明の実施の形態２の信号測定装置の構成を示す図である。
【図４】図３に示した検出部と、入力回路部との関係を説明するための回路図である。
【図５】この発明の実施の形態３の信号測定装置の構成を示す図である。
【図６】図５に示した検出部と、入力回路部との関係を説明するための回路図である。
【発明を実施するための形態】
【００１０】
実施の形態１．
以下、本願発明の実施の形態について説明する。
図１はこの発明の実施の形態１における信号測定装置の構成を示す図である。
図２は図１に示した信号測定装置の信号測定方法を説明するための図である。
【００１１】
図１について説明する。
信号測定装置１は、信号測定対象部としてのプラント１００の、連続的に変化するプロセス信号を測定するためのものである。
ここで言う、連続的に変化するプロセス信号とは、ローレベルおよびハイレベルのような二値の信号ではなく、二値以外の値も取り得る信号を指す。
プラント１００とは、例えば、原子力プラントなどが考えられる。
プラント１００には、プロセス信号が複数存在する。
プラント１００には、これら複数のプロセス信号を検出する検出部が複数個存在する。
【００１２】
本実施の形態１における検出部は、第一検出部１０１、第二検出部１０２、第三検出部１０３、および第Ｍ検出部１Ｍの複数個が存在する。
尚、本実施の形態１においては、検出部が４個形成されている例を示している。しかし、これに限られることはなく、検出部が２個以上であれば同様に対応することができる。
また、このことは以下の実施の形態においても同様であるため、この説明は適宜省略する。
【００１３】
信号測定装置１は、信号切替部１０と、入力回路部２１と、信号処理部２３と、切替命令部２２とを備えている。
入力回路部２１は、第一検出部１０１、第二検出部１０２、第三検出部１０３、および第Ｍ検出部１Ｍからの各プロセス信号をそれぞれ入力する。
また、入力回路部２１は、１個の回路部にて構成されており、複数の検出部の内の、１つの検出部からのみプロセス信号を入力することができる。
【００１４】
信号切替部１０は、第一検出部１０１、第二検出部１０２、第三検出部１０３、および第Ｍ検出部１Ｍと、入力回路部２１との開閉切替を行うものである。
信号切替部１０は、第一検出部１０１と、入力回路部２１とを接続する、第一切替端子部１０Ａを備えている。
信号切替部１０は、第二検出部１０２と、入力回路部２１とを接続する、第二切替端子部１０Ｂを備えている。
【００１５】
信号切替部１０は、第三検出部１０３と、入力回路部２１とを接続する、第三切替端子部１０Ｃを備えている。
信号切替部１０は、第Ｍ検出部１Ｍと、入力回路部２１とを接続する、第Ｍ切替端子部１０Ｍを備えている。
【００１６】
また、本実施の形態１においては、第一検出部１０１、第二検出部１０２、第三検出部１０３、および第Ｍ検出部１Ｍは、熱電対にて構成されている場合について説明する。
このように熱電対にて構成されている検出部は、熱起電力が生じる現象を利用したプロセス信号を検出する。
【００１７】
この場合、信号切替部１０には、第一検出部１０１の第一切替端子部１０Ａとして、第一入力端子１１Ａおよび第一出力端子１２Ａを有する。
また、第二検出部１０２の第二切替端子部１０Ｂとして、第一入力端子１１Ｂおよび第一出力端子１２Ｂを有する。
【００１８】
また、第三検出部１０３の第三切替端子部１０Ｃとして、第一入力端子１１Ｃおよび第一出力端子１２Ｃを有する。
また、第Ｍ検出部１Ｍの第Ｍ切替端子部１０Ｍとして、第一入力端子１１Ｍおよび第一出力端子１２Ｍを有する。
【００１９】
そして、第一検出部１０１と、入力回路部２１とは、第一入力端子１１Ａおよび第一出力端子１２Ａを介して接続される。
また、第二検出部１０２と、入力回路部２１とは、第一入力端子１１Ｂおよび第一出力端子１２Ｂを介して接続される。
【００２０】
また、第三検出部１０３と、入力回路部２１とは、第一入力端子１１Ｃおよび第一出力端子１２Ｃを介して接続される。
また、第Ｍ検出部１Ｍと、入力回路部２１とは、第一入力端子１１Ｍおよび第一出力端子１２Ｍを介して接続される。
これら、第一入力端子１１Ａ、１１Ｂ、１１Ｃ、１１Ｍおよび第一出力端子１２Ａ、１２Ｂ、１２Ｃ、１２Ｍは、開閉を行うスイッチ機構で構成されている。
【００２１】
信号処理部２３は、入力回路部２１に接続されプロセス信号を処理するものである。
そして、切替命令部２２は、開閉時間に応じた切替命令信号Ｔを信号切替部１０に出力するものである。
具体的には、切替命令部２２から信号切替部１０の第一切替端子部１０Ａ、第二切替端子部１０Ｂ、第三切替端子部１０Ｃ、および第Ｍ切替端子部１０Ｍに、開閉時間に応じた切替命令信号Ｔがそれぞれ送信される。
【００２２】
すなわち、第一入力端子１１Ａ、１１Ｂ、１１Ｃ、１１Ｍおよび第一出力端子１２Ａ、１２Ｂ、１２Ｃ、１２Ｍに切替命令信号Ｔ１、Ｔ２、Ｔ３、ＴＭがそれぞれ入力される。
これら切替命令信号Ｔ１、Ｔ２、Ｔ３、ＴＭによる開閉時間は、第一検出部１０１、第二検出部１０２、第三検出部１０３、および第Ｍ検出部１Ｍのいずれか１つが、入力回路部２１に接続されるように設定されている。
【００２３】
この開閉時間は、第一検出部１０１、第二検出部１０２、第三検出部１０３、および第Ｍ検出部１Ｍがそれぞれどの程度の間隔にてプロセス信号を測定する必要があるかに応じて適宜設定されるものである。
【００２４】
さらに、切替命令部２２は、第一検出部１０１、第二検出部１０２、第三検出部１０３、および第Ｍ検出部１Ｍ毎に設定された安定測定時間Δｔに応じて測定命令信号ｔを信号処理部２３に出力するものである。
安定測定時間Δｔとは、第一検出部１０１、第二検出部１０２、第三検出部１０３、および第Ｍ検出部１Ｍから信号切替部１０を介して入力回路部２１に入力されるまでの回路によって、あらかじめ決定されるものである。
【００２５】
そして、安定測定時間Δｔとは、これら回路が閉状態になってから、入力回路部２１に入力されるプロセス信号が安定的に測定可能となるまでの時間である。
これは、回路が閉状態となった直後では、ノイズの発生、回路が不安定な状態であるなどによりプロセス信号を正確に測定することができないため設定される時間である。
よって、回路が閉状態となってから、この安定測定時間Δｔが経過した後に、プロセス信号を測定すれば、精度に優れた測定を行うことができる。
【００２６】
この安定測定時間Δｔは、回路に特有の時間であり、第一検出部１０１であれば、第一検出部１０１から、第一入力端子１１Ａ、入力回路部２１、第一出力端子１２Ａ、第一検出部１０１に至る回路における特有の安定測定時間Δｔ１が決定される。
そして、第二検出部１０２であれば、第二検出部１０２から、第一入力端子１１Ｂ、入力回路部２１、第一出力端子１２Ｂ、第二検出部１０２に至る回路における特有の安定測定時間Δｔ２が決定される。
【００２７】
そして、第三検出部１０３であれば、第三検出部１０３から、第一入力端子１１Ｃ、入力回路部２１、第一出力端子１２Ｃ、第三検出部１０３に至る回路における特有の安定測定時間Δｔ３が決定される。そして、第Ｍ検出部１Ｍであれば、第Ｍ検出部１Ｍ、第一入力端子１１Ｍ、入力回路部２１、第一出力端子１２Ｍ、第Ｍ検出部１Ｍに至る回路における特有の安定測定時間ΔｔＭが決定される。
【００２８】
次に、上記のように構成された実施の形態１の信号測定装置１の信号測定方法について図２を交えて説明する。
図２は、切替命令部２２が信号切替部１０に送信する切替命令信号Ｔと、切替命令部２２が信号処理部２３に送信する測定命令信号ｔとのタイミングチャートを示したものである。さらに、測定命令信号ｔを送信するための安定測定時間Δｔを示したものである。
【００２９】
また、第一検出部１０１、第二検出部１０２、第三検出部１０３、および第Ｍ検出部１Ｍのプロセス信号の測定命令信号ｔにより測定されたプロセス信号の測定値の時間変化を示したものである。
【００３０】
図２の切替命令信号Ｔは、ハイレベルの状態の時は「閉」、ローレベルの状態の時は「開」を示している。すなわち、ハイレベルの状態の時は測定している状態を、ローレベルの状態の時は測定していない状態をそれぞれ示している。
そして、切替命令信号Ｔ１は、第一切替端子部１０Ａに送信される。
また、切替命令信号Ｔ２は、第二切替端子部１０Ｂに送信される。
また、切替命令信号Ｔ３は、第三切替端子部１０Ｃに送信される。
また、切替命令信号ＴＭは、第Ｍ切替端子部１０Ｍに送信される。
【００３１】
図２に示すとおり、第一切替端子部１０Ａ、第二切替端子部１０Ｂ、第三切替端子部１０Ｃ、および第Ｍ切替端子部１０Ｍは、切替命令信号Ｔにより順次開閉状態が切り替わっていく。
よって、第一切替端子部１０Ａ、第二切替端子部１０Ｂ、第三切替端子部１０Ｃ、および第Ｍ切替端子部１０Ｍのうち、ある時間に閉状態となるのは１個だけである。
【００３２】
そして、第一切替端子部１０Ａ、第二切替端子部１０Ｂ、第三切替端子部１０Ｃ、および第Ｍ切替端子部１０Ｍが閉状態となる時間、すなわち切替命令信号Ｔのハイレベルの状態の時間は、第一検出部１０１、第二検出部１０２、第三検出部１０３、および第Ｍ検出部１Ｍ毎に切替命令部２２で設定可能である。
そして、第一検出部１０１、第二検出部１０２、第三検出部１０３、および第Ｍ検出部１Ｍのいずれか１個が、入力回路部２１に接続されることになる。
【００３３】
次に、これら切替命令信号Ｔ１、Ｔ２、Ｔ３、ＴＭの始点から安定測定時間Δｔ１、Δｔ２、Δｔ３、ΔｔＭ後のプロセス信号を測定処理するように測定命令信号ｔを信号処理部２３に送信する。
よって、第一検出部１０１では、切替命令信号Ｔ１の始点から安定測定時間Δｔ１後に信号処理部２３に送信された測定命令信号ｔにより、時間ｔ１ではプロセス信号Ａ１が、また、時間ｔ５ではプロセス信号Ａ２がそれぞれ測定され、連続したプロセス信号の測定を行うことができる。
【００３４】
同様に、第二検出部１０２では、切替命令信号Ｔ２の始点から安定測定時間Δｔ２後に信号処理部２３に送信された測定命令信号ｔにより、時間ｔ２ではプロセス信号Ｂ１が、また、時間ｔ６ではプロセス信号Ｂ２がそれぞれ測定され、連続したプロセス信号の測定を行うことができる。
【００３５】
同様に、第三検出部１０３では、切替命令信号Ｔ３の始点から安定測定時間Δｔ３後に信号処理部２３に送信された測定命令信号ｔにより、時間ｔ３ではプロセス信号Ｃ１が、また、時間ｔ７ではプロセス信号Ｃ２がそれぞれ測定され、連続したプロセス信号の測定を行うことができる。
【００３６】
同様に、第Ｍ検出部１Ｍでは、切替命令信号ＴＭの始点から安定測定時間ΔｔＭ後に信号処理部２３に送信された測定命令信号ｔにより、時間ｔ４ではプロセス信号Ｍ１が、また、時間ｔ８ではプロセス信号Ｍ２の値がそれぞれ測定され、連続したプロセス信号の測定を行うことができる。
【００３７】
上記のように構成された実施の形態１の信号測定装置によれば、
信号測定対象部の複数のプロセス信号を検出する複数の検出部に対して１個の入力回路部により測定することができるため、信号測定装置が小型化できる。よって、信号測定装置の設備コストが削減でき、省エネルギー化が達成できる。
また、安定測定時間に応じた測定命令信号によりプロセス信号を測定しているため、精度に優れた測定を行うことができる。
【００３８】
また、検出部が熱電対など、起電力によりプロセス信号を発生するような場合には、検出部と入力回路部とを、第一入力端子および第一出力端子を介して接続することにより、検出部のプロセス信号を簡便に測定することができる。
【００３９】
実施の形態２．
図３はこの発明の実施の形態２の信号測定装置の構成を示す図である。
図４は図３に示した検出部と、入力回路部と、定電流回路部との関係を説明するための回路図である。本実施の形態２の上記実施の形態１と異なる部分は、検出部が定電流を必要とする点である。
【００４０】
そして、定電流を必要とする検出部は、例えば、測温抵抗体が考えられる。そして、本実施の形態２の信号測定装置の信号測定方法は、上記実施の形態１の図２において示した場合と同様に行うことができる。このため、本実施の形態２の信号測定方法は、その説明を適宜省略する。
【００４１】
図において、上記実施の形態１と同様の部分は同一符号を付して説明を省略する。
信号測定装置１は、定電流を発生させる定電流回路部２６を備える。
第一検出部１０４は、定電流を必要とする、例えば、測温抵抗体にて形成されている。
第一検出部１０４の信号切替を行う、信号切替部１０の第一切替端子部１０Ａは、第二入力端子１３Ａ、第二出力端子１４Ａ、第三入力端子１５Ａおよび第三出力端子１６Ａを備えている。
これら、第二入力端子１３Ａ、第二出力端子１４Ａ、第三入力端子１５Ａおよび第三出力端子１６Ａは、開閉を行うスイッチ機構で構成されている。
【００４２】
第一検出部１０４と入力回路部２１とは、第二入力端子１３Ａおよび第二出力端子１４Ａを介して接続されている。
また、第一検出部１０４と定電流回路部２６とは、第三入力端子１５Ａおよび第三出力端子１６Ａを介して接続されている。
そして、切替命令部２２は、第一切替端子部１０Ａである、第二入力端子１３Ａ、第二出力端子１４Ａ、第三入力端子１５Ａおよび第三出力端子１６Ａに切替命令信号を出力する。
尚、図３においては、便宜上、定電流を必要とする検出部として、第一検出部１０４のみを示しているが、同様の検出部が複数個存在するものである。
【００４３】
次に、上記のように構成された実施の形態２の信号測定装置１の動作について説明する。図４の回路図に示すように、第一検出部１０４に定電流回路部２６および入力回路部２１が並列に接続されている。尚、第二入力端子１３Ａ、第二出力端子１４Ａ、第三入力端子１５Ａおよび第三出力端子１６Ａは、この回路中に存在するものであるが図４では省略している。本実施の形態２においては、第一検出部１０４から入力回路部２１に入力されるプロセス信号が、安定的に測定可能となる安定測定時間は、この回路によってあらかじめ決定されるものである。
【００４４】
そして、第一検出部１０４の切替は、第二入力端子１３Ａ、第二出力端子１４Ａ、第三入力端子１５Ａおよび第三出力端子１６Ａに切替命令信号Ｔが送信されて行われる。そして、第一検出部１０４の信号を測定する場合には、第二入力端子１３Ａ、第二出力端子１４Ａ、第三入力端子１５Ａおよび第三出力端子１６Ａが閉状態となっている。そして、第一検出部１０４には、定電流回路部２６から定電流が供給される。よって、上記実施の形態１と同様に、第一検出部１０４の信号を測定することができる。
【００４５】
上記のように構成された実施の形態２の信号測定装置によれば、上記実施の形態１と同様の効果を奏するのはもちろんのこと、定電流を必要とする検出部には、検出部の信号を測定する時に、定電流回路部が検出部に接続されている。よって、検出部には定電流が供給されているため、上記実施の形態１と同様に、検出部のプロセス信号を簡便に測定することができる。
【００４６】
実施の形態３．
図５はこの発明の実施の形態３の信号測定装置の構成を示す図である。
図６は図５に示した検出部と、入力回路部と、電源部と、負荷抵抗部との関係を説明するための回路図である。図において、上記各実施の形態と同様の部分は同一符号を付して説明を省略する。
【００４７】
本実施の形態３の上記実施の形態１と異なる部分は、検出部が電源を必要とする点である。そして、電源を必要とする検出部としては、例えば、伝送器が考えられる。よって、本実施の形態３の信号測定装置の信号測定方法は、上記実施の形態１の図２において示した場合と同様に行うことができる。このため、本実施の形態３の信号測定方法は、その説明を適宜省略する。
【００４８】
図において、上記実施の形態１と同様の部分は同一符号を付して説明を省略する。
第一検出部１０５、第二検出部１０６、第三検出部１０７、第Ｎ検出部１Ｎは、電源を必要とする、例えば、伝送器にて形成されている。
そして、第一検出部１０５の信号切替を行う、信号切替部１０の第一切替端子部１０Ａは、第四入力端子１７Ａ、第四出力端子１８Ａ、電源部１９Ａおよび負荷抵抗部２０Ａを備えている。
第一検出部１０５と電源部１９Ａと負荷抵抗部２０Ａとは、直列に接続されている。
負荷抵抗部２０Ａと入力回路部２１とは、並列に接続されるとともに、第四入力端子１７Ａおよび第四出力端子１８Ａを介して接続されている。
切替命令部２２は、第一切替端子部１０Ａ、すなわち、第四入力端子１７Ａおよび第四出力端子１８Ａに切替命令信号Ｔを出力する。
【００４９】
同様に、第二検出部１０６の信号切替を行う、信号切替部１０の第二切替端子部１０Ｂは、第四入力端子１７Ｂ、第四出力端子１８Ｂ、電源部１９Ｂおよび負荷抵抗部２０Ｂを備えている。
第二検出部１０６と電源部１９Ｂと負荷抵抗部２０Ｂとは、直列に接続されている。
負荷抵抗部２０Ｂと入力回路部２１とは、並列に接続されるとともに、第四入力端子１７Ｂおよび第四出力端子１８Ｂを介して接続されている。
切替命令部２２は、第二切替端子部１０Ｂ、すなわち、第四入力端子１７Ｂおよび第四出力端子１８Ｂに切替命令信号Ｔを出力する。
【００５０】
同様に、第三検出部１０７の信号切替を行う、信号切替部１０の第三切替端子部１０Ｃは、第四入力端子１７Ｃ、第四出力端子１８Ｃ、電源部１９Ｃおよび負荷抵抗部２０Ｃを備えている。
第三検出部１０７と電源部１９Ｃと負荷抵抗部２０Ｃとは、直列に接続されている。
負荷抵抗部２０Ｃと入力回路部２１とは、並列に接続されるとともに、第四入力端子１７Ｃおよび第四出力端子１８Ｃを介して接続されている。
切替命令部２２は、第三切替端子部１０Ｃ、すなわち、第四入力端子１７Ｃおよび第四出力端子１８Ｃに切替命令信号Ｔを出力する。
【００５１】
同様に、第Ｎ検出部１Ｎの信号切替を行う、信号切替部１０の第Ｎ切替端子部１０Ｎは、第四入力端子１７Ｎ、第四出力端子１８Ｎ、電源部１９Ｎおよび負荷抵抗部２０Ｎを備えている。
第Ｎ検出部１Ｎと電源部１９Ｎと負荷抵抗部２０Ｎとは、直列に接続されている。
負荷抵抗部２０Ｎと入力回路部２１とは、並列に接続されるとともに、第四入力端子１７Ｎおよび第四出力端子１８Ｎを介して接続されている。
切替命令部２２は、第Ｎ切替端子部１０Ｎ、すなわち、第四入力端子１７Ｎおよび第四出力端子１８Ｎに切替命令信号Ｔを出力する。
【００５２】
そしてこれら、第四入力端子１７Ａ、１７Ｂ、１７Ｃ、１７Ｎおよび、第四出力端子１８Ａ、１８Ｂ、１８Ｃ、１８Ｎは、開閉を行うスイッチ機構で構成されている。
【００５３】
次に、上記のように構成された実施の形態３の信号測定装置１の動作について説明する。図６の回路図に示すように、第一検出部１０５と、電源部１９Ａと、負荷抵抗部２０Ａとは直列に接続されている。このため、第一検出部１０５には、電源部１９Ａから常に電源が供給されている。尚、第四入力端子１７Ａおよび第四出力端子１８Ａは、この回路中に存在するものであるが、図６では省略している。
【００５４】
そして、負荷抵抗部２０Ａと入力回路部２１とは、並列に接続され、第四入力端子１７Ａおよび第四出力端子１８Ａを介して接続され切替が行われている。よって、本実施の形態３においては、第一検出部１０５から入力回路部２１に入力されるプロセス信号が、安定的に測定可能となる安定測定時間は、この回路によってあらかじめ決定されるものである。
【００５５】
第一検出部１０５の切替は、第四入力端子１７Ａ、および第四出力端子１８Ａに切替命令信号Ｔが送信されて行われる。そして、第一検出部１０５の信号を測定する場合には、第四入力端子１７Ａ、および、第四出力端子１８Ａが閉状態となり、負荷抵抗部２０Ａを介して第一検出部１０５のプロセス信号が入力回路部２１に入力される。よって、上記実施の形態１と同様に、第一検出部１０５の信号を測定することができる。また、このことは、他の第二検出部１０６、第三検出部１０７および第Ｎ検出部１Ｎでも同様に行うことができるため、その説明は省略する。
【００５６】
上記のよう構成された実施の形態３の信号測定装置によれば、上記実施の形態１と同様の効果を奏するのはもちろんのこと、電源を必要とする検出部には、検出部に常に電源を接続し、検出部の信号を測定する時に、負荷抵抗部を介する信号を測定しているため、上記実施の形態１と同様に、検出部のプロセス信号を簡便に測定することができる。
【００５７】
尚、上記各実施の形態においては、便宜上、検出部の種類が１種類、上記実施の形態１においては起電力による検出部、上記実施の形態２においては定電流を必要とする検出部、上記実施の形態３においては電源を必要とする検出部の例を示したが、これに限られることはなく、２種類以上の検出部が混在していても、それぞれに必要となる回路を備えていれば、上記各実施の形態と同様に、各検出部のプロセス信号を測定することができる。
【００５８】
尚、本発明は、その発明の範囲内において、各実施の形態を自由に組み合わせたり、各実施の形態を適宜、変形、省略することが可能である。
【図１】
2016088181.tif 000003
【図２】
2016088181.tif 000004
【図３】
2016088181.tif 000005
【図４】
2016088181.tif 000006
【図５】
2016088181.tif 000007
【図６】
2016088181.tif 000008
【国際調査報告】
2016088181.tif 000009
2016088181.tif 000010
2016088181.tif 000011
2016088181.tif 000012